(57)【要約】      （修正有）【課題】拭布の取り替え時において、腰を屈めることなく、立ったままで作業を行なうことができるモップ用拭布装着装置を提供する。【解決手段】モップ本体が抜き差しされる開口部６ａが形成されているとともに、拭布４が、その開口部が重畳させられた状態で収納される本体６と、この本体の周壁部に間隔をおいて複数設けられ、前記各拭布を開口状態に保持するとともに、これらの拭布の保持を一枚ずつ開放する係止機構７と、前記本体内に装着されて前記係止機構を同期させて間欠駆動する操作プレートとを備え、前記各拭布の開口部には、この開口部を狭める方向に付勢する弾性帯５が装着されている。【選択図】図３
0003194678.tif 000002
【実用新案登録請求の範囲】
【請求項１】
板状のモップ本体に袋状の拭布を装着するための拭布装着装置であって、前記モップ本体が抜き差しされる開口部が形成されているとともに、前記拭布が、その開口部が重畳させられた状態で収納される本体と、この本体の周壁部に間隔をおいて複数設けられ、前記各拭布を開口状態に保持するとともに、これらの拭布の保持を一枚ずつ開放する係止機構と、前記本体内に装着されて前記係止機構を同期させて間欠駆動する操作プレートとを備え、前記各拭布の開口部には、この開口部を狭める方向に付勢する弾性帯が装着されていることを特徴とするモップ用拭布装着装置。
【請求項２】
前記係止機構が、前記各拭布の開口縁に、前記各係止機構に対応して装着されるフックと、前記各拭布に装着された各フックが重畳状態で係合させられるとともに摺動可能に装填され、かつ、前記各フックの重畳方向一端部に位置させられた一つのフックを、その係合を解除する位置に待機させる待機部が形成されたフックマガジンと、前記重畳させられたフックを前記待機部へ向けて付勢する付勢部材と、前記操作プレートに連結され、前記待機部に一つの前記フックを送り込み、前記操作プレートの操作によって、前記待機部に位置させられた前記フックの係合を解除して、このフックを、前記弾性帯の付勢力を利用して前記フックマガジンから放出するトリガー手段とからなることを特徴とする請求項１に記載のモップ用拭布装着装置。
【請求項３】
前記トリガー手段が、前記待機部に位置させられている前記フックを係止位置に保持する第１の係止部材と、前記待機位置に位置させられている前記フックと隣接するフックに、その重畳方向から係合させられて、この隣接するフックの前記待機部への移動を拘束する第２の係止部材とによって構成されていることを特徴とする請求項２に記載のモップ用拭布装着装置。
【考案の詳細な説明】
【技術分野】
【０００１】
本考案は、把手の先にモップ本体を取り付け、このモップ本体を包み込むようにして拭布を装着するようにしたモップに係わり、特に、前記拭布を、前記モップ本体に簡便に装着するようにしたモップ用拭布装着装置に関するものである。
【背景技術】
【０００２】
従来、床等の拭き掃除にモップが用いられており、その一例として、特許文献１に示されるように、把手の先にモップ本体を取り付け、このモップ本体を包み込むようにして拭布を装着するようにしたものが知られている。
【０００３】
このモップは、前記把手により、前記モップ本体に装着された前記拭布を、床面に押し付けながら滑らすことにより、床面の乾拭きや水拭きを行なうようにしたものである。
【先行技術文献】
【特許文献】
【０００４】
【特許文献１】特開２００８−２９５５４５号公報
【考案の概要】
【考案が解決しようとする課題】
【０００５】
ところで、前述したようなモップにあっては、前記モップ本体に、放射状の複数のスリットによって形成された複数の拭布係止爪を複数箇所に設け、これらの拭布係止爪間に前記拭布の一部を指で押し込み、これによって前記拭布を前記拭布係止爪間に挟み込ませてこの拭布の固定を行なっている。
【０００６】
このような拭布の固定方法であると、拭布を前記拭布係止爪間に押し込む際に、前記不織布とともに指が挟まれてしまい、拭布の装着操作が煩雑になることが想定される。
【０００７】
また、拭布が汚れた場合に、新しい拭布に取り替える必要がある。
このような拭布の交換に際して、前述した従来の技術にあっては、その都度屈み込み、その姿勢で汚れた拭布を取り外して新しい拭布を装着する作業となる。
【０００８】
したがって、拭布の取り替え作業が、腰への負担が大きい難儀な作業となり、その対策が要望されている。
【０００９】
しかも、使用済みの拭布を取り外す際に、前記拭布係止爪に噛み込まれた拭布を引き抜かなければならないが、その噛み込み状態が急激に解除されるため、前記モップ本体に衝撃を与えてしまう。
【００１０】
この結果、前記使用済みの拭布によって拭き取られたごみ等が、清掃後の床面等に落下してしまうおそれもある。
【００１１】
本考案は、前述した従来の技術において残されている問題点を解決せんとしてなされたもので、拭布の装着や取り替え時において、腰を屈めることなく、立ったままで作業を行なうことができ、かつ、拭布に触れることなく作業を行なうことのできるモップ用拭布装着装置を提供することを解決課題とする。
【課題を解決するための手段】
【００１２】
本考案の請求項１に記載のモップ用拭布装着装置は、板状のモップ本体に袋状の拭布を装着するための拭布装着装置であって、前記モップ本体が抜き差しされる開口部が形成されているとともに、前記拭布が、その開口部が重畳させられた状態で収納される本体と、この本体の周壁部に間隔をおいて複数設けられ、前記各拭布を開口状態に保持するとともに、これらの拭布の保持を一枚ずつ開放する係止機構と、前記本体内に装着されて前記係止機構を同期させて間欠駆動する操作プレートとを備え、前記各拭布の開口部には、この開口部を狭める方向に付勢する弾性帯が装着されていることを特徴とする。
【００１３】
このように構成された本考案のモップ用拭布装着装置は、前記拭布を袋状に形成するとともに、その複数枚を積層した状態で、前記本体内に収納するとともに、各拭布の開口部を、この開口部に装着された弾性帯の付勢力に抗して広げるとともに、その開口部を、複数箇所において各係止機構に係止させておく。
【００１４】
これより、前記拭布の開口部からその内部にモップ本体を挿入し、さらに、前記拭布を介して前記操作プレートを押し下げる。
【００１５】
前記操作プレートが押し下げられると、前記各係止機構が同期して駆動され、これによって、積層されている前記拭布の最上部の拭布と前記各係止機構との係合が解除される。
【００１６】
このように、最上部の拭布に対する係止状態が解除されると、前記弾性帯の付勢力によって、その開口部が狭められるように変形させられる。
【００１７】
この際に、前記拭布の内部には、前記モップ本体が位置させられていることから、前記拭布の変形に伴って、この拭布が、前記弾性帯の付勢力により、前記モップ本体の下面から側面、および、上面の殆どを覆って、このモップ本体を包み込むように装着される。
【００１８】
ついで、前記モップ本体を前記本体から引き抜くことにより、前記拭布によって覆われた前記モップ本体を取り出すことができ、そのまま拭き掃除に供することができる。
【００１９】
そして、前記モップ本体には通常把手（柄）が取り付けられていることから、この把手を操作して前記モップ本体を抜き差しできるので、腰を伸ばした楽な姿勢で前記拭布の装着を行なうことができる。
【００２０】
一方、前記拭布が汚れた際には、この汚れた拭布が装着された状態で、前述した操作を行なうことにより、汚れた拭布を包み込むようにして新しい拭布が装着される。
【００２１】
このように、汚れた拭布の上に新しい拭布が被せられるので、使用済みの拭布に付着したごみ等が新しい拭布によって覆われるので，拭き取ったごみ等が清掃済みの床面に落下して、この床面を汚してしまうことを防止する効果も期待できる。
【００２２】
前記係止機構を、前記各拭布の開口縁に、前記各係止機構に対応して装着されるフックと、前記各拭布に装着された各フックが重畳状態で係合させられるとともに摺動可能に装填され、かつ、前記各フックの重畳方向一端部に位置させられた一つのフックを、その係合を解除する位置に待機させる待機部が形成されたフックマガジンと、前記重畳させられたフックを前記待機部へ向けて付勢する付勢部材と、前記操作プレートに連結され、前記待機部に一つの前記フックを送り込み、前記操作プレートの操作によって、前記待機部に位置させられた前記フックの係合を解除して、このフックを、前記弾性帯の付勢力を利用して前記フックマガジンから放出するトリガー手段とによって構成することができる。
【００２３】
このような構成とすることにより、前記拭布を、前記フックを介して前記フックマガジンに装填されて係止されることにより、前記拭布と前記係止機構との係止状態を確実かつ円滑に行なうことができる。
【００２４】
また、前記フックマガジンに、一つのフックを、その係合を解除する位置に待機させる待機部が形成されていることにより、前記拭布の係合状態の解除を確実に一枚ずつ行なうことができる。
【００２５】
かつ、前記重畳させられている複数のフックが、前記付勢部材により、前記待機部へ向けて付勢されていることにより、一枚の拭布が前記モップ本体に装着された後に、続く拭布を待機位置に迅速に位置させることができ、円滑かつ確実な拭布の装着作業を確保することができる。
【００２６】
また、前記トリガー手段を、前記待機部に位置させられている前記フックを係止位置に保持する第１の係止部材と、前記待機位置に位置させられている前記フックと隣接するフックに、その重畳方向から係合させられて、この隣接するフックの前記待機部への移動を拘束する第２の係止部材とによって構成することが好ましい。
【００２７】
このような構成とすることにより、待機状態にある前記フックの係止を確実に行なうことができるとともに、待機位置にある前記フックの解放時に、このフックと後続のフックとの緩衝を極力防止しして円滑な作動を確保することができる。
【考案の効果】
【００２８】
本考案によれば、拭布の取り替え時において、腰を屈めることなく、立ったままで作業を行なうことができ、その作業を容易かつ簡便なものとすることができる。
【図面の簡単な説明】
【００２９】
【図１】本考案の一実施形態を示すもので、拭布が装着された状態を示す斜視図である。
【図２】本考案の一実施形態を示すもので、拭布が収納されていない状態の本体の平面図である。
【図３】本考案の一実施形態を示すもので、拭布が収納された状態の本体の平面図である。
【図４】本考案の一実施形態を示すもので、係止機構を示す拡大縦断面図である。
【図５】本考案の一実施形態を示すもので、係止機構の要部の拡大断面図である。
【図６】本考案の一実施形態を示すもので、第１の係止部材を示す正面図である。
【図７】本考案の一実施形態を示すもので、第２の係止部材を示す正面図である。
【図８】本考案の一実施形態を示すもので、係止機構の平面図である。
【図９】本考案の一実施形態を示すもので、係止機構の上方開放した状態を示す拡大平面図である。
【図１０】本考案の一実施形態を示すもので、図４のＸ−Ｘ線断面図である。
【図１１】本考案の一実施形態を示すもので、作用を説明するための要部の拡大縦断面図である。
【図１２】本考案の一実施形態を示すもので、作用を説明するための要部の拡大縦断面図である。
【図１３】本考案の一実施形態を示すもので、作用を説明するための要部の拡大縦断面図である。
【図１４】本考案の一実施形態を示すもので、作用を説明するための要部の拡大縦断面図である。
【図１５】本考案の変形例を示すもので、拭布の外観斜視図である。
【図１６】本考案の変形例を示すもので、モップ本体と把手との接合部を示す一部断面側面図である。
【図１７】本考案の変形例を示すもので、モップ本体と把手との接合部を示す一部断面側面図である。
【図１８】本考案の他の変形例を示す本体の平面図である。
【図１９】本考案の他の変形例を示すモップの正面図である。
【図２０】本考案の他の変形例を示すもので、モップを本体に収納した状態を示す正面図である。
【考案を実施するための形態】
【００３０】
以下、本考案の一実施形態を、図面を参照して説明する
図１中、符号１は、本実施形態に用いられるモップを示す。
このモップ１は、長方形状のモップ本体２と、このモップ本体２の上面略中央部に揺動可能に装着された把手（柄）３と、前記モップ本体２を包み込むように装着された拭布４とによって構成されている。
【００３１】
そして、前記拭布４は、前記モップ本体２の上面で、前記把手３を挿通させるための開口４ａが形成されて、前記把手３の装着部近傍を除く面を覆って装着されている。
【００３２】
また、前記拭布４の開口４ａ近傍には、この開口４ａに沿うようにゴムバンド等の弾性帯５が装着されて、この弾性帯５により、前記開口４ａが狭められるように付勢されている。
【００３３】
また、前記拭布４は、前記弾性帯５の付勢力によって発生させられる張力を受けて、前記モップ本体２の表面に沿うようになされている。
【００３４】
ついで、本実施形態に係わるモップ用拭布装着装置について説明する。
本実施形態では、前記モップ本体２が抜き差しされる開口部６ａが形成されているとともに（図２参照）、前記拭布４が、その開口部４ａが重畳させられた状態で収納される（図３参照）本体６を備えている。
【００３５】
この本体６は，上方に開口部６ａを備えた箱形に形成されており、の周壁部の４隅のそれそれぞれには、前記各拭布４を開口状態に保持するとともに、これらの拭布４の保持を一枚ずつ開放する係止機構７が設けられている。
【００３６】
また、前記本体６内には、この本体６の上下方向に相対移動可能に設けられて、前記係止機構７を同期させて間欠駆動する操作プレート８が装着されている。
【００３７】
前記係止機構７は、前記各拭布４の開口縁に、前記各係止機構７に対応して装着されるフック９（図３ないし図１４参照）と、前記各拭布４に装着された各フック９が重畳状態で係合させられるとともに摺動可能に装填されるフックマガジン１０とを備えている。
【００３８】
前記フックマガジン１０は、前記本体６の４隅に、その深さ方向に沿って配置されており、その略中央部には、図４ないし図１４に示すように貫通孔１１が形成され、この貫通孔１１に連続し、前記フックマガジン１０の外周面に至るガイド孔１２が形成されている。
【００３９】
前記ガイド孔１２は、前記貫通孔１１に連続する幅広の第１のガイド孔１２ａと、このガイド孔１２ａに連続して前記フックマガジン１０の外面に至る幅狭の第２のガイド孔１２ｂとによって構成されている。
【００４０】
前記フック９は、前記第１のガイド孔１２ａに嵌合させられる係合突起９ａと、この係合突起９ａに一体に連設され、前記第２のガイド孔１２ｂを通って前記フックマガジン１０の外方へ突出させられる連結片９ｂと、この連結片９ｂの外方端部に連設され、前記拭布４の開口４ａの縁部が掛け止めされる連結片９ｃとによって構成されている。
【００４１】
前記貫通孔１１内にはその長さ方向に摺動可能なスライダー１３が装着され、前記貫通孔１１の底部との間に介装された付勢部材Ｓによって、上方へ向けて付勢されている。
【００４２】
前記スライダー１３の側面には、前記第２のガイド孔１２ｂを介して外部へ突出させられたフック押し上げ部１３ａが一体に形成されており、前記ガイド孔１２に装填された前記フック９が載置されるようになっている。
【００４３】
また、前記フックマガジン１０の上端部には、図８に示すように、前記第１のガイド孔１２ａの上端面よりも、前記第２のガイド孔１２ｂの上端面を、前記フック９の厚みより若干低くすることによって、前記各フック９の上端部に位置させられた一つのフック９を、その係合を解除する位置に待機させる待機部Ａが形成されている。
【００４４】
さらに、前記係止機構７は、前記操作プレート８に連結され、前記待機部Ａに一つの前記フック９を送り込み、前記操作プレート８の操作によって、前記待機部Ａに位置させられた前記フック９の係合を解除して、このフック９を、前記弾性帯５の付勢力を利用して前記フックマガジン１０から放出するトリガー手段Ｔを備えている。
【００４５】
前記トリガー手段Ｔは、前記待機部Ａに位置させられている前記フック９の係合突起９ａと係合して、このフック９を待機部Ａ内に保持する第１の係止部材１４と、前記待機部Ａに位置させられている前記フック９の下方に位置するフック９に、その上方から係合させられて、このフック９の前記待機部Ａへの移動を拘束する第２の係止部材１５とによって構成されている。
【００４６】
前記第１の係止部材１４は、略Ｕ字状に形成されており、前記第１のガイド孔１２ａの幅方向の側壁面に沿うようになされ、かつ、その上端部が図６に示すように内側に折曲されている。
したがって、前記第１の係止部材１４は、前記第２のガイド孔１２ａ内に嵌合させられている前記積層されたフック９の各係合突起９ａの両側部と上方両端部を取り囲むように形成されている。
【００４７】
前記第２の係止部材１５も同様に、図７に示すように、略Ｕ字状に形成されて、前記第２のガイド孔１２ｂの対向する壁面に摺動可能に嵌合させられ、かつ、前記積層されたフック９の前記連結片９ｂを挟み込むようになされている。
【００４８】
さらに、前記第１の係止部材１４および第２の係止部材１５の下端部は、前記操作プレート８の角部に、外方へ向けて放射状に取り付けられた連結片１６に連結されており、前記操作プレート８の上下動とともに上下に移動させられるようになっている。
【００４９】
そして、前記第２のガイド孔１２ｂの上面で、前記第１のガイド孔１２ａ側の端部には、この第１のガイド孔１２ａ側に行くにしたがい下方へ向かう若干の傾斜面が形成されている。
【００５０】
このように構成された本実施形態に係わるモップ用拭布装着装置は、袋状に形成された前記拭布４の開口４ａの所定位置に、前記フック９をそれぞれ掛け止めし、これらの複数枚を積層するとともに、各フック９を、その連結片９ｂにおいて結束しておく。
【００５１】
ついで、前記各フック９の結束体を、前記ガイド孔１２にその上方から挿入することにより、それぞれの係合突起９ａを前記第１の係止部材１４の内側に、また、前記連結部９ｂを前記第２の係止部材１５の内側に挿入して装填する。
【００５２】
これによって、各拭布４が、前記弾性帯５の弾性に抗して開口された状態で前記各係止機構７に支持される（図１１参照）。
【００５３】
これより、前記フック９の結束を解くことにより、各フック９間の拘束を解除すると、これらのフック９が前記付勢部材Ｓによって押圧されたフック押し上げ部１３ａによって上方へ押し上げられるとともに、図１１に示すように、最上部のフック９が前記待機部Ａに位置させられて、前記第２の係止部材１５によって係止される。
【００５４】
これより、前記拭布４の開口部からその内部に前記モップ本体２を挿入し、さらに、前記拭布４を介して前記操作プレート８を押し下げる（図１２参照）。
【００５５】
前記操作プレート８が押し下げられると、前記各係止機構７が同期して駆動され、前記第１の係止部材１４および第２の係止部材１５も同様に押し下げられる。
【００５６】
これによって、前記積層されている前記拭布４の最上部の拭布４と前記第２の係止部材１５との係合が解除されて、前記弾性帯５の弾性により、４隅のフック９が、図１３に破線で示すように、前記モップ本体２の上面の中央部へ向けて引き込まれる。
【００５７】
これに伴い、前記拭布４の開口４ａが狭められて、図１に示すように、前記拭布４が、前記モップ本体２を包み込むようにして装着される。
【００５８】
また、係合が解除されたフック９よりも下方に位置する残余のフック９は、図１２に示すように、前記前記第１の係止部材１４の上端によって押し下げられて、前記待機部Ａへの進入が阻止される。
【００５９】
ついで、前記モップ本体２を前記本体６から引き抜くことにより、前記拭布４によって覆われた前記モップ本体２を取り出すことができ、そのまま拭き掃除に供することができる。
【００６０】
そして、前記モップ本体２には通常把手（柄）３が取り付けられていることから、この把手３を操作して前記モップ本体２を抜き差しできるので、前記拭布４に触れることなく、腰を伸ばした楽な姿勢で前記拭布４の装着を行なうことができる。
【００６１】
一方、前記拭布４が汚れた際には、この汚れた拭布４が装着された状態で、前述した操作を行なうことにより、汚れた拭布４を包み込むようにして新しい拭布４が装着される。
【００６２】
このように、汚れた拭布の上に新しい拭布が被せられるので、使用済みの拭布に付着したごみ等が新しい拭布によって覆われるので，拭き取ったごみ等が清掃済みの床面に落下して、この床面を汚してしまうことを防止する効果も期待できる。
【００６３】
一方、前述したように、前記拭布４が装着されたモップ本体２を引き抜くと、前記付勢部材Ｓの付勢力によって、前記スライダー１３が残余のフック９とともに上昇させられるとともに、このフック９の上昇により、このフック９の上方に係合させられている前記第１の係止部材１４も上昇させられる。
【００６４】
さらに、前記第１の係止部材１４の上昇により、前記連結片１６を介して連結された前記操作プレート８および第２の係止部材１５も上昇する。
【００６５】
そして、前記第２の係止部材１５が最上昇位置まで移動させられて、前記待機部Ａに位置させられた時点で、つぎのフック９が、前記第１の係止部材１４の上端から前記待機部Ａへ移動し、前記第２の係止部材１５によって待機位置に係止される。
【００６６】
これによって、つぎの拭布４の装着操作の待機状態となされる。
【００６７】
一方、使用済みの拭布４を廃棄する際には、この拭布４の開口４ａを、前記弾性帯５を伸ばしつつ広げることによって、前記拭布４を円滑に取り外すことができ、その廃棄作業が容易である。
【００６８】
なお、前記実施形態において示した各構成部材の諸形状や寸法等は一例であって、設計要求等に基づき種々変更可能である。
【００６９】
たとえば、前記実施形態においては、前記拭布４を、その開口４ａを矩形状に開口した状態で前記本体６内に収納すると、図１５に示すように、下部両側に、三角形状の突出部分Ｂが形成される。
【００７０】
この突出部分Ｂは、前記拭布４を積層した際に膨らみを形成し、収納できる枚数が制限されてしまうことが想定されることから、予め、この突出部分Ｂを切り取っておくこともできる。
【００７１】
また、前記モップ本体２と把手３とを揺動可能に連結した構成について示したが、これに加えて、図１６および図１７に示すように、前記モップ本体２に対して前記把手３を直立状態に固定可能な構成とすることもできる。
【００７２】
すなわち、前記把手３の下端部に球面部材１７を一体に設け、前記モップ本体２に、前記球面部１７を揺動自在に支持するとともに、前記モップ本体２と直交する方向に摺動自在に支持する軸受け部１８を設ける。
【００７３】
さらに、前記球面部１７の下部に係合突起１９を設けるとともに、前記軸受け部１８の底面に、前記係合突起１９が係脱可能に嵌合させられる係止孔２０を設けたものである。
【００７４】
このような構成とすることにより、前記把手３を前記モップ本体２から引き上げて、前記係合突起１９と前記係止孔２０との係合を解除することができる（図１６参照）。
この状態において、前記把手３が、前記モップ本体３に対して揺動自在となされて、清掃可能な状態となされる。
【００７５】
清掃を中断若しくは終了する場合、前記把手３を前記モップ本体２に直交させた状態で、前記把手３を前記モップ本体３へ向けて押し込むことにより、前記係合突起１９を前記係止孔２０に嵌合させる。
【００７６】
これによって、前記把手３と前記モップ本体２との揺動が拘束され、前記把手３が、前記モップ本体２に直立状態に保持される。
【００７７】
このように、前記把手３を直立状態に保持できることにより、前記把手３の倒れを防止することができ、この把手３を壁等に立て掛けることなく収納状態とすることができる。
【００７８】
また、前記モップ本体２を前記本体６に収納されている前記拭布４の内部に挿入する際に、前記モップ本体２の振れを防止して、その挿入を円滑かつ確実に行なうようにすることができる。
【００７９】
また、前記モップ本体２を前記本体６内に挿入して前記操作プレート８を押し下げる際に、前記モップ本体２の振れを防止することによって、前記操作プレート８を平行に下降させることができる。
【００８０】
この結果、前記操作プレート８の４隅に連結されて、この操作プレート８によって作動させられる４個の前記トリガー手段Ｔを確実に同期させることができる。
【００８１】
さらに、図１８に示すように、前記本体６の一対の角部に、前記本体６の側面との間に隙間を形成する一対の掛け止め片２１を一体に設けておく。
【００８２】
また、図１９に示すように、モップ２２を構成するモップ本体２に、把手３を揺動自在に連結する自在継ぎ手２３を設けるとともに、この自在継ぎ手２３から離間した位置に、前記把手３が係脱可能に嵌合させられる上方が開放されたフック２４を設け、前記モップ本体２を、図１９に破線で示すように、前記把手３と略平行となるように揺動させて、前記フック２４を前記把手３に嵌合させることにより、両者を固定して収納状態とすることができる。
【００８３】
そして、前記図１８に示すように、前記本体６を、床Ｆに、前記掛け止め片２１が上下方向に位置するようにして設置し、ついで、図２０に示すように、前記掛け止め辺２１間に、図１９に鎖線で示すように重畳状態に折り畳まれた前記モップ２２のモップ本体２を掛け止めすることにより、前記モップ２２を収納状態とすることができる。
【符号の説明】
【００８４】
１  モップ
２  モップ本体
３  把手
４  拭布
４ａ  開口
５  弾性帯
６  本体
６ａ  開口部
７  係止機構
８  操作プレート
９  フック
９ａ  係合突起
９ｂ  連結片
９ｃ  係止片
１０  フックマガジン
１１  貫通孔
１２  ガイド孔
１２ａ  第１のガイド孔
１２ｂ  第２のガイド孔
１３  スライダー
１３ａ  フック押し上げ部
１４  第１の係止部材
１５  第２の係止部材
１６  連結片
１７  球面部
１８  軸受け部
１９  係合突起
２０  係止孔
２１  掛け止め片
２２  モップ
２３  自在継ぎ手
２４  フック
Ａ  待機部
Ｂ  突出部分
Ｓ  付勢部材
Ｔ  トリガー手段
Ｆ  床
【図１】
0003194678.tif 000003
【図２】
0003194678.tif 000004
【図３】
0003194678.tif 000005
【図４】
0003194678.tif 000006
【図５】
0003194678.tif 000007
【図６】
0003194678.tif 000008
【図７】
0003194678.tif 000009
【図８】
0003194678.tif 000010
【図９】
0003194678.tif 000011
【図１０】
0003194678.tif 000012
【図１１】
0003194678.tif 000013
【図１２】
0003194678.tif 000014
【図１３】
0003194678.tif 000015
【図１４】
0003194678.tif 000016
【図１５】
0003194678.tif 000017
【図１６】
0003194678.tif 000018
【図１７】
0003194678.tif 000019
【図１８】
0003194678.tif 000020
【図１９】
0003194678.tif 000021
【図２０】
0003194678.tif 000022